(57)【要約】【課題】ハードウエアの増加を招くことなく、音声情報のレベルに基づいてファンの回転速度を変化させる。【解決手段】映像音声記録媒体２０に記録された映像音声情報を再生するとともに、再生した映像音声情報を所定処理して得られた音声情報を伸長して出力する映像音声再生手段６と、音声情報のスペクトラムを分析するスペクトラム分析部１７と、筐体内部を冷却するファン１３と、音声情報の音量レベルに基づいてファンの回転速度を変化させるファン制御手段１８とを備え、デコーダ部１５とスペクトラム分析部１７とが信号処理ＩＣ３の内部に一体に集積化された構成において、ファン制御手段１８は、スペクトラム分析部１７によって分析されたスペクトラムのレベルを前記音量レベルと見なしてファン１３の回転速度を変化させている。【選択図】  図１
2006179071.tif 000002
【特許請求の範囲】
【請求項１】
ＤＶＤに記録された情報を読み取るとともに、読み取って得られた情報を所定処理して得られた映像音声情報を出力するディスクドライブ部と、
映像音声情報に含まれる音声情報を伸長するデコーダ部と、
音声情報のスペクトラムを分析するスペクトラム分析部と、
筐体内部を冷却するファンと、
筐体内部の温度を検出する温度センサと、
音声情報の音量レベルに基づいてファンの回転速度を変化させるファン制御手段とを備え、
デコーダ部とスペクトラム分析部とが信号処理ＩＣの内部に一体に集積化されたＤＶＤレコーダにおいて、
ファン制御手段は、通常モードと静音モードとの２つのモードのうち、静音モードが選択されたときには、スペクトラム分析部によってスペクトラムが分析される周波数帯域のうち、ファンが発生する回転音を聞こえにくくする周波数帯域のスペクトラムのレベルを前記音量レベルと見なしてファンの回転速度を変化させるとともに、温度センサによって検出された温度が予め設定された温度を超えたときにはファンの回転速度を速め、前記２つのモードのうち、通常モードが選択されたときには、温度センサによって検出された温度に基づいてファンの回転速度を変化させることを特徴とするＤＶＤレコーダ。
【請求項２】
音声情報を伸長するデコーダ部を有し、映像音声記録媒体に記録された映像音声情報を再生するとともに、再生した映像音声情報を所定処理して得られた音声情報を伸長して出力する映像音声再生手段と、
音声情報のスペクトラムを分析するスペクトラム分析部と、
筐体内部を冷却するファンと、
音声情報の音量レベルに基づいてファンの回転速度を変化させるファン制御手段とを備え、
デコーダ部とスペクトラム分析部とが信号処理ＩＣの内部に一体に集積化された映像音声再生装置において、
ファン制御手段は、スペクトラム分析部によって分析されたスペクトラムのレベルを前記音量レベルと見なしてファンの回転速度を変化させることを特徴とする映像音声再生装置。
【請求項３】
映像音声記録媒体に記録された映像音声情報を再生するとともに、再生した映像音声情報を所定処理して得られた音声情報を伸長して出力する映像音声再生手段と、
筐体内部を冷却するファンと、
音声情報の音量レベルに基づいてファンの回転速度を変化させるファン制御手段とを備えた映像音声再生装置において、
音声情報のスペクトラムを分析するスペクトラム分析部を備え、
ファン制御手段は、スペクトラム分析部によってスペクトラムが分析される周波数帯域のうち、ファンが発生する回転音を聞こえにくくする周波数帯域のスペクトラムのレベルを前記音量レベルと見なしてファンの回転速度を変化させることを特徴とする映像音声再生装置。
【請求項４】
筐体内部の温度を検出する温度センサを備え、
ファン制御手段は、温度センサによって検出された温度が予め設定された温度を超えたときにはファンの回転速度を速めることを特徴とする請求項２または請求項３に記載の映像音声再生装置。
【発明の詳細な説明】
【技術分野】
【０００１】
本発明は、ファンの回転速度を音量レベルに基づいて制御するＤＶＤレコーダおよび映像音声再生装置に係り、より詳細には、再生した音声情報のスペクトラムの分析結果に基づいて音量レベルを判定するＤＶＤレコーダおよび映像音声再生装置に関する。
【背景技術】
【０００２】
ＤＶＤレコーダ等のオーディオ装置においては、筐体内部に熱がこもりやすいので、ファンを用いて内部を冷やす構成が採用されている。しかし、ファンの回転音が耳障りなものになるので、ＤＶＤの回転の停止時にはファンの回転速度を遅くしたり、筐体内部の温度を検出し、検出された温度に対応して回転速度を制御したりしているが、聴感上からは最適な制御とはいえないので、以下に示す技術が提案されている（第１の従来技術とする）。すなわち、この技術では、静音モードと通常モードとの２種のモードを用意している。そして、通常モードのときには、ファンを常に回転させるが、静音モードとなるときには、電子ボリウムによってレベルが調整されたアナログ音声信号の音量（調整音量）に基づいて、ファンを回転させたり、停止させたりしている。
【０００３】
つまり、静音モードとなるときには、予め設定されたアナログ音声信号の音量（以下では設定音量と称する）と調整音量とを比較している。そして、設定音量より調整音量が大きくなるときには、ファンの回転音が耳障りとはならないので、ファンを回転させて、筐体内部を冷却している。しかし、節制音量より調整音量が小さくなるときには、ファンの回転音が耳障りとなりやすいため、ファンの回転を停止させるようにしている。また、さらに、温度センサを設けることも併せて開示されている。そして、ファンを回転させるように制御するときでは、温度センサによって検出された温度が高い場合にはファンの回転速度を速くし、検出された温度が低い場合にはファンの回転速度を遅くしている（例えば、特許文献１参照）。
【０００４】
また、以下に示す技術が提案されている（第２の従来技術とする）。すなわち、この技術は、ミニディスクを再生するミニディスク部、ＣＤを再生するコンパクトディスク部を備えており、ユーザが操作子に入力した指示に基づき、中央処理ユニットを用いて、プリアンプ部の減衰器の減衰率を制御することによって、音量をユーザの所望値に設定するカーオディオ装置に適用されている。すなわち、音量の設定値が中央処理ユニットに常に知らされている構成に適用されている。そして、装置の冷却を行うファンの回転速度を、音量の設定値が所定値を超えることきには最も高速に設定し、音量の設定値が所定以下であるときには中の速度に設定している。そして、ミニディスク部およびコンパクトディスク部の双方が再生を停止するスタンバイ状態となるときには、ファンの回転速度を最も低速に設定している。従って、スピーカから音声が出力されなくなり、ファンの音が最も聞こえ易くなるスタンバイ状態となるときでも、ファンの回転音が耳障りとなることが防止される。また、ファンの回転速度を高速にするか、中程度の速度にするかの切り換えの基準となる基準値については、音源の種類に応じて異なる値とするときには、音声信号の音源の種類によって異なる平均レベルに対応して、より高い精度でのファンの回転速度の制御が可能となることも、併せて開示されている（例えば、特許文献２参照）。
【特許文献１】特開２００３−２２４９９０号公報
【特許文献２】特開２００４−１２０２６８号公報
【発明の開示】
【発明が解決しようとする課題】
【０００５】
しかしながら、第１の従来技術を用いるときには、以下に示す問題を生じていた。すなわち、電子ボリウムによってレベルが調整されたアナログ音声信号の音量を検出するには、ハードウエアの追加を必要とする。すなわち、例えば、図５に示したように、装置本体の外部に出力される音声信号のレベルを増幅してマイクロコンピュータ９５に送出するため、ローパス特性を有する増幅回路９４を必要とする。つまり、ＯＰアンプ９３、２つの抵抗Ｒ８，Ｒ９、および、コンデンサＣ９の４つの素子を必要とする。従って、ハードウエアの規模の増大を招く。また、増幅器９１の出力経路に増幅回路９４が接続される影響で、オーディオ的な特性が劣化する恐れも生じる。なお、同図における９２は、音声信号を装置本体の外部に出力するピンジャック、９１は音声信号を増幅する増幅器を示しており、音声信号は、電子ボリウムによって調整されることなく、外部に送出されるようになっている。
【０００６】
また、第２の従来技術を用いる場合には、以下に示す問題を生じていた。すなわち、ＤＶＤを再生するときでは、音声信号のレベルは、そのときどきにおいて、大きく変化する。従って、音量の設定値が大きいとき、つまり、音量を大きくする設定となっているときであっても、実際にスピーカから出力される音量が小さい場合があったり、音量を小さくする設定となっているときでも、スピーカから出力される音量が、それなりに大きくなる場合がある。このため、音量の設定値に基づいてファンの回転速度を制御する場合では、スピーカから出力される音量が小さいときにも、ファンを高速で回転させる場合があり、このときでは、ファンの回転音が耳障りなものとなっていた。
【０００７】
本発明は、上記の問題点を解決するため創案されたものであり、その目的は、ハードウエアの増加を招くことなく、ＤＶＤから再生される音声情報のレベルに基づいてファンの回転速度を変化させることのでき、且つ、ＤＶＤから再生される音声情報のレベルに基づいてファンの回転速度を変化させることにより、ファンの回転音が耳障りとなることを防止するときにも、筐体内部の温度を充分に低いものにすることのでき、且つ、音声情報のレベルの低い状態が継続するときにも、筐体内部の温度の過度の上昇を防止することのでき、且つ、ＤＶＤの再生音を聞いていないときにＤＶＤを再生させたままとする場合に、ファンの回転速度が切り換わることにより生じる聴感上の不快感の発生を防止することのできるＤＶＤレコーダを提供することにある。
【０００８】
また本発明の目的は、デコーダ部とスペクトラム分析部とが信号処理ＩＣの内部に一体に集積化された構成となるときに、スペクトラム分析部によって分析されたスペクトラムのレベルに基づいてファンの回転速度を変化させることにより、ハードウエアの増加を招くことなく、再生される音声情報のレベルに基づいてファンの回転速度を変化させることのできる映像音声再生装置を提供することにある。
【０００９】
また本発明の目的は、スペクトラム分析部によってスペクトラムが分析される周波数帯域のうち、ファンが発生する回転音を聞こえにくくする周波数帯域のスペクトラムのレベルに基づいてファンの回転速度を変化させ、ファンを高速で回転させる期間の比率を高めることによって、ファンの回転音が耳障りとなることを防止するときにも、筐体内部の温度を充分に低いものにすることのできる映像音声再生装置を提供することにある。
【００１０】
また、上記目的に加え、温度センサによって検出された温度が予め設定された温度を超えたときにはファンの回転速度を速めることにより、音声情報のレベルの低い状態が継続するときにも、筐体内部の温度の過度の上昇を防止することのできる映像音声再生装置を提供することにある。
【課題を解決するための手段】
【００１１】
上記の課題を解決するため、本発明に係るＤＶＤレコーダは、ＤＶＤに記録された情報を読み取るとともに、読み取って得られた情報を所定処理して得られた映像音声情報を出力するディスクドライブ部と、映像音声情報に含まれる音声情報を伸長するデコーダ部と、音声情報のスペクトラムを分析するスペクトラム分析部と、筐体内部を冷却するファンと、筐体内部の温度を検出する温度センサと、音声情報の音量レベルに基づいてファンの回転速度を変化させるファン制御手段とを備え、デコーダ部とスペクトラム分析部とが信号処理ＩＣの内部に一体に集積化されたＤＶＤレコーダに適用している。そして、ファン制御手段は、通常モードと静音モードとの２つのモードのうち、静音モードが選択されたときには、スペクトラム分析部によってスペクトラムが分析される周波数帯域のうち、ファンが発生する回転音を聞こえにくくする周波数帯域のスペクトラムのレベルを前記音量レベルと見なしてファンの回転速度を変化させるとともに、温度センサによって検出された温度が予め設定された温度を超えたときにはファンの回転速度を速め、前記２つのモードのうち、通常モードが選択されたときには、温度センサによって検出された温度に基づいてファンの回転速度を変化させるようになっている。
【００１２】
すなわち、デコーダ部が集積化された信号処理ＩＣの大部分の種類においては、スペクトラム分析部も一体に集積化されている。従って、ハードウエアを追加することなく、スペクトラムの分析を行うことができる。また、分析されたスペクトラムのレベルは、再生された音声情報のレベルを示すことになる。また、ファンの回転音が聞こえにくくなる帯域の音声のレベルが所定値を超える場合に、ファンの回転速度を高速とするときでは、高速で回転するファンの回転音は、スピーカから出力される音声によって効率良くマスクされ、耳障りとならない。このため、高速回転とするかどうかの判定の基準となるレベルを低くすることができるので、ファンが高速で回転する期間の比率は高いものとなる。また、音声情報のレベルの低い状態が継続したことから、ファンが低速回転となる状態が長くなって、筐体内部の温度が上昇すると、ファンの回転速度が速められ、筐体内部が冷却される。また、通常モードとするときでは、再生される音声情報のレベルが変化するときにも、ファンの回転速度は変化しない。
【００１３】
また本発明に係る映像音声再生装置は、音声情報を伸長するデコーダ部を有し、映像音声記録媒体に記録された映像音声情報を再生するとともに、再生した映像音声情報を所定処理して得られた音声情報を伸長して出力する映像音声再生手段と、音声情報のスペクトラムを分析するスペクトラム分析部と、筐体内部を冷却するファンと、音声情報の音量レベルに基づいてファンの回転速度を変化させるファン制御手段とを備え、デコーダ部とスペクトラム分析部とが信号処理ＩＣの内部に一体に集積化された映像音声再生装置に適用している。そして、ファン制御手段は、スペクトラム分析部によって分析されたスペクトラムのレベルを前記音量レベルと見なしてファンの回転速度を変化させるようになっている。
【００１４】
すなわち、デコーダ部が集積化された信号処理ＩＣの大部分の種類においては、スペクトラム分析部も一体に集積化されている。従って、ハードウエアを追加することなく、スペクトラムの分析を行うことができる。また、分析されたスペクトラムのレベルは、再生された音声情報のレベルを示すことになる。
【００１５】
また本発明に係る映像音声再生装置は、映像音声記録媒体に記録された映像音声情報を再生するとともに、再生した映像音声情報を所定処理して得られた音声情報を伸長して出力する映像音声再生手段と、筐体内部を冷却するファンと、音声情報の音量レベルに基づいてファンの回転速度を変化させるファン制御手段とを備えた映像音声再生装置に適用している。そして、音声情報のスペクトラムを分析するスペクトラム分析部を備え、ファン制御手段は、スペクトラム分析部によってスペクトラムが分析される周波数帯域のうち、ファンが発生する回転音を聞こえにくくする周波数帯域のスペクトラムのレベルを前記音量レベルと見なしてファンの回転速度を変化させるようになっている。
【００１６】
すなわち、音声情報の全周波数帯域を総合したレベルが所定値を超えたとき、ファンの回転速度を高速にする制御では、ファンの音を聞こえにくくする周波数帯域のレベルが小さいときであっても、ファンが高速回転となる事態が発生する。従って、ファンの回転音を聞こえにくくする周波数帯域のレベルが低いときでも、ファンの回転音が耳障りとならないようにするためには、高速回転にするかどうかの判定の基準となるレベルを、高いレベルに設定する必要がある。しかし、ファンの回転音が聞こえにくくなる周波数帯域の音声のレベルが所定値を超える場合に、ファンの回転速度を高速とするときでは、高速で回転するファンの回転音は、スピーカから出力される音声によって効率良くマスクされ、耳障りとならない。このため、高速回転にするかどうかの判定の基準となるレベルを低くすることができるので、ファンが高速で回転する期間の比率は高いものとなる。
【００１７】
また、上記構成に加え、筐体内部の温度を検出する温度センサを備え、ファン制御手段は、温度センサによって検出された温度が予め設定された温度を超えたときにはファンの回転速度を速めるようになっている。すなわち、音声情報のレベルの低い状態が継続したことから、ファンが低速回転となる状態が長くなって、筐体内部の温度が上昇すると、ファンの回転速度が速められ、筐体内部が冷却される。
【発明の効果】
【００１８】
本発明によれば、ハードウエアを追加することなく、スペクトラムの分析を行うことができ、且つ、分析されたスペクトラムのレベルは、再生された音声情報のレベルを示すことになる。また、ファンの回転音が聞こえにくくなる帯域の音声のレベルが所定値を超える場合に、ファンの回転速度を高速とするときでは、高速で回転するファンの回転音は、スピーカから出力される音声によって効率良くマスクされ、耳障りとならない。このため、高速回転とするかどうかの判定の基準となるレベルを低くすることができ、ファンが高速で回転する期間の比率は高いものとなる。また、音声情報のレベルの低い状態が継続したことから、ファンが低速回転となる状態が長くなって、筐体内部の温度が上昇すると、ファンの回転速度が速められ、筐体内部が冷却される。また、通常モードとするときでは、再生される音声情報のレベルが変化するときにも、ファンの回転速度は変化しない。このため、ハードウエアの増加を招くことなく、ＤＶＤから再生される音声情報のレベルに基づいてファンの回転速度を変化させることができ、且つ、ＤＶＤから再生される音声情報のレベルに基づいてファンの回転速度を変化させることにより、ファンの回転音が耳障りとなることを防止するときにも、筐体内部の温度を充分に低いものにすることができ、且つ、音声情報のレベルの低い状態が継続するときにも、筐体内部の温度の過度の上昇を防止することができ、且つ、ＤＶＤの再生音を聞いていないときにＤＶＤを再生させたままとする場合に、ファンの回転速度が切り換わることにより生じる聴感上の不快感の発生を防止することができる。
【００１９】
また本発明によれば、ハードウエアを追加することなく、スペクトラムの分析を行うことができる。また、分析されたスペクトラムのレベルは、再生された音声情報のレベルを示す。このため、ハードウエアの増加を招くことなく、音声情報のレベルに基づいてファンの回転速度を変化させることができる。
【００２０】
また本発明によれば、ファンの回転音が聞こえにくくなる帯域の音声のレベルが所定値を超える場合に、ファンの回転速度を高速としている。従って、高速で回転するファンの回転音は、スピーカから出力される音声によって効率良くマスクされ、耳障りとならない。その結果、高速回転にするかどうかの判定の基準となるレベルを低くすることができるので、ファンが高速で回転する期間の比率は高いものとなる。このため、ファンの回転音が耳障りとなることを防止するときにも、筐体内部の温度を充分に低いものにすることができる。
【００２１】
また、さらに、音声情報のレベルの低い状態が継続したことから、ファンが低速回転となる状態が長くなって、筐体内部の温度が上昇すると、ファンの回転速度が速められ、筐体内部が冷却されるので、音声情報のレベルの低い状態が継続するときにも、筐体内部の温度の過度の上昇を防止することができる。
【発明を実施するための最良の形態】
【００２２】
以下、本発明の実施の形態について図を参照して説明する。
【００２３】
図１は、本発明に係るディスク再生装置の一実施形態の電気的構成を示すブロック線図であり、具体的には、ＤＶＤレコーダを示している。
【００２４】
図において、チューナ部１は、マイクロコンピュータ（以下では、マイコンと称する）７から指示されたチャンネルの商用放送を受信するとともに、受信して得られたアナログ映像信号（アナログ音声信号を含む）をＡ／Ｄ変換部２に出力する。Ａ／Ｄ変換部２は、チューナ部１から出力される映像信号をデジタル映像信号（デジタル音声信号を含む）に変換し、信号処理ＩＣ３に出力する。
【００２５】
ディスクドライブ部５は、ピックアップや符号化回路や復調回路（図示を省略）等を備えており、信号処理ＩＣ３より出力される映像音声情報を、記録用の情報に変換してＤＶＤ（映像音声記録媒体）２０に記録する。また、ＤＶＤ２０に記録された情報を読み取るとともに、読み取った情報を所定処理して得られた映像音声情報を信号処理ＩＣ３に出力する。
【００２６】
Ｄ／Ａ変換部４は、信号処理ＩＣ３より出力されるデジタル映像信号をＤ／Ａ変換して得られたアナログ映像信号を、外部に設けられたテレビ受像機１４に出力する。また、信号処理ＩＣ３より出力されるデジタル音声信号をＤ／Ａ変換して得られたアナログ音声信号をテレビ受像機１４に出力する。
【００２７】
信号処理ＩＣ３は、デコーダ部１５を用いることにより、ディスクドライブ部５から出力される映像音声情報に含まれる映像情報を、ＭＰＥＧ２方式で伸長処理する。そして、前記伸長処理により得られたデジタル映像信号をＤ／Ａ変換部４に出力する。また、デコーダ部１５を用いることにより、映像音声情報に含まれる音声情報を、ＡＣ３方式で伸長処理する。そして、前記伸長処理により得られたデジタル音声信号をＤ／Ａ変換部４に出力する。
【００２８】
また、信号処理ＩＣ３は、エンコーダ部１６を用いることによって、Ａ／Ｄ変換部２から出力されるデジタル映像信号をＭＰＥＧ２方式で圧縮処理（デジタル音声信号についてはＡＣ３方式で圧縮処理）した後、所定形式の映像音声情報に変換して、ディスクドライブ部５に送出する。
【００２９】
スペクトラム分析部１７は、デコーダ部１５やエンコーダ部１６とともに、信号処理ＩＣ３の内部に一体に集積化されたブロックとなっている。すなわち、デコーダ部１５とエンコーダ部１６とが一体に集積化された信号処理ＩＣ３では、その多くの種類において、スペクトラム分析部１７も一体に集積化されている。つまり、スペクトラム分析部１７は、追加して設ける必要のないブロックとなっている。従って、スペクトラム分析部１７を用いて、音声情報のスペクトラムを分析する構成とするときにも、スペクトラム分析を行わない構成とする場合に比して、ハードウエアを構成する素子数の増加を招かないようになっている。
【００３０】
このスペクトラム分析部１７は、映像音声情報に含まれる音声情報について、７つ（その他の数とすることができる）の周波数帯域のそれぞれにおけるスペクトラムレベルを分析する。すなわち、図示されないストリーム分離部によって、映像音声情報から分離された音声情報について、７つに分割された周波数帯域のそれぞれについて、スペクトラムレベルを分析する。そして、分析結果を、周波数帯域のそれぞれに対応して設けられ、マイコン７から読み出しが可能なレジスタに格納する。
【００３１】
なお、スペクトラム分析部１７における７つの周波数帯域は、具体的には、図２に示した帯域となっている。また、各帯域のそれぞれのレベルについては、図３に示したように、３２段階に分割されたレベルのうち、どのレベルとなっているのかを分析する。
【００３２】
入力回路部８は、図示されない装置本体の前面パネルに設けられた電源キー等のキースイッチや、リモートコントローラ（以下では、リモコンと称する）９から送信される赤外線信号を受光する受光ユニット等を備えており、ユーザからの指示が入力される。また、入力されたユーザからの指示をマイコン７に出力する。
【００３３】
温度センサ１１は、筐体の内部温度を検出するセンサであり、その出力は、増幅回路１０によって増幅された後、マイコン７に入力される。ファン１３は、筐体内部の空気を外部に吹き出すことによって、筐体内部を冷却する。駆動回路１２は、マイコン７から指示された電圧でもって、ファン１３を駆動する。
【００３４】
マイコン７は、ＤＶＤレコーダとしての主要動作を制御する。すなわち、リモコン９等に入力されたユーザの指示に従って、チューナ部１が受信するチャンネルを制御する。また、信号処理ＩＣ３とディスクドライブ部５とを制御することにより、チューナ部１が受信した番組をＤＶＤ２０に録画する。また、ディスクドライブ部５と信号処理ＩＣ３とを制御することによって、ＤＶＤ２０に記録された情報（映像と音声等とを示す情報）を再生してテレビ受像機１４に表示する。
【００３５】
また、マイコン７は、その機能の一部によってファン制御手段１８を構成する。このファン制御手段１８は、スピーカから出力される音量が小さいときに、ファン１３の回転音が耳障りとなることを防止するため、音声情報の音量レベルに基づいて、ファン１３の回転速度を変化させる。すなわち、スペクトラム分析部１７によって分析されたスペクトラムのレベルを、スピーカから出力される音声の音量レベルに該当すると見なして、ファン１３の回転速度を変化させる。
【００３６】
また、ファン制御手段１８は、ファン１３を低速で回転させているときに、温度センサ１１によって検出された温度が、所定温度を超えたことを示すときには、筐体内部が高温になったことによる装置の損傷を防止するため、ファン１３の回転速度を速くして、筐体内部の温度を低くする。
【００３７】
なお、本実施形態では、初期設定において、通常モードと静音モードとの２つのモードのうちから、好みに応じて一方のモードを選択することができるようになっている。そして、静音モードが選択されている場合には、ファン制御手段１８は、上記した方法でもってファン１３の回転速度を制御する。しかし、通常モードが選択された場合、ファン制御手段１８は、音量レベルにかかわりなく、温度センサ１１によって検出された温度にのみ対応して、ファン１３の回転速度を制御する。
【００３８】
以下に補足的な説明を行うと、ディスクドライブ部５とデコーダ部１５とからなるブロック６は、請求項記載の映像音声再生手段となっている。
【００３９】
図４は、ファンの回転速度を制御するときの実施形態の主要動作を示すフローチャートである。必要に応じて同図を参照しつつ、実施形態の動作を説明する。
【００４０】
ファン制御手段１８は、電源オンとなるときには、ファン１３を低速で回転させる。そて後、ＤＶＤ２０の再生状態であるかどうかを調べる（ステップＳ１）。再生状態であるときには、初期設定において選択されたモードが静音モードであるのか、あるいは、通常モードであるのかを調べる（ステップＳ２）。静音モードであるときには、スペクトラム分析部１７によって分析されたスペクトラムのレベルから、音声情報の音量レベルを算出する（ステップＳ３）。そして、算出した音量レベルが所定値を超えているかどうかを調べる（ステップＳ４）。
【００４１】
算出した音量レベルが所定値を超えているときには、ファン１３の回転音が耳障りになりにくいとして、ファン１３の回転速度を高速にする（ステップＳ５，Ｓ６）。一方、算出した音量レベルが所定値を超えていないときには、ファン１３の回転速度を高速に変化させて後、所定期間（例えば、１０秒等）が経過したかどうかを調べる（ステップＳ５，Ｓ１１）。所定期間が経過していないときには、ファン１３の回転速度の切り換えが過多となることを抑制するため、ファン１３の回転速度を高速のままに維持する（ステップＳ１２，Ｓ６）。
【００４２】
しかし、ステップＳ１２の判定において、所定期間が経過していたとき、すなわち、音量レベルが所定値より低くなる期間が１０秒間継続したときには、動作は、ステップＳ１２からステップＳ１３に移行し、温度センサ１１によって検出された温度が所定値を超えたかどうかを調べる。すなわち、ファン１３の回転速度を低速にしても、筐体内部の温度が、装置の損傷を招く恐れのない温度かどうかを調べる。そして、検出された温度が所定値を超えていないときには、ファン１３の回転速度を低速にする（ステップＳ１４，Ｓ１５）。しかし、超えているときには、ファン１３の回転速度を低速にすると、装置の損傷を招く恐れがあるとして、ファン１３の回転速度を高速にする（ステップＳ１４，Ｓ６）。
【００４３】
なお、ステップＳ１の判定において、再生状態でないことが判明した場合、ファン制御手段１８は、温度センサ１１により検出された温度が所定値を超えていないかどうかを調べる（ステップＳ２１）。そして、検出された温度が所定値を超えているときには、筐体内部の温度を低下させるために、ファン１３の回転速度を高速にする（ステップＳ２２，Ｓ２３）。しかし、検出された温度が所定値を超えていないときには、ファン１３の回転速度を低速にする（ステップＳ２２，Ｓ２４）。
【００４４】
また、ステップＳ２の判定において、通常モードであることが判明したときには、ファン制御手段１８は、温度センサ１１により検出された温度が所定値を超えていないかどうかを調べる（ステップＳ２１）。そして、検出された温度が所定値を超えているときには、筐体内部の温度を低下させるために、ファン１３の回転速度を高速にする（ステップＳ２２，Ｓ２３）。しかし、検出された温度が所定値を超えていないときには、ファン１３の回転速度を低速にする（ステップＳ２２，Ｓ２４）。
【００４５】
従って、通常モードを選択した場合では、ＤＶＤ２０を再生状態としたまま、テレビ受像機１４に用いて商用放送を視聴したり、あるいは、その他の装置を使用したりしても、ＤＶＤ２０を再生した音声情報（聞いていない音声情報）の音量レベルに対応して、ファン１３の回転速度が切り換わるという事態の発生が回避される。従って、聞いてはいないＤＶＤの再生音声に応じて、ファン１３の回転音が大きくなったり、静かになったりするという、聴感上の不快感の発生が防止される。
【００４６】
以下に、ステップＳ３における音量レベルの算出方法について説明する。
【００４７】
第１の算出方法は、７つの周波数帯域の全てのレベルの重み付けを等しくして、音量レベルを算出する方法となっている。従って、この算出方法を用いた場合には、算出される音量レベルは、デコーダ部１５から出力されるアナログ音声信号のレベルを示すことになる。
【００４８】
第２の算出方法は、７つの周波数帯域のうち、ファン１３を高速で回転させたとき、ファン１３の回転音を聞こえにくくする周波数帯域（例えば、図２に示す帯域『５』）のレベルの重み付けを大きくし、ファン１３の回転音をマスクする効果の少ない周波数帯域のレベルの重み付けを小さくして、音量レベルを算出する方法となっている。
【００４９】
すなわち、音声情報の全周波数帯域を総合したレベルが所定値を超えたとき、ファン１３の回転速度を高速にする制御（第１の算出方法を用いる制御）では、ファン１３の回転音を聞こえにくくする周波数帯域のレベルが小さいときであっても、ファン１３が高速回転となる事態が発生する。従って、ファン１３の回転音を聞こえにくくする周波数帯域のレベルが低いときでも、ファン１３の回転音が耳障りとならないようにするには、高速回転にするかどうかの判定の基準となるレベルを、高いレベルに設定する必要がある。
【００５０】
しかし、ファン１３の回転音が聞こえにくくなる帯域の音声のレベルが所定値を超える場合に、ファン１３の回転速度を高速とするときでは、高速で回転するファンの回転音は、スピーカから出力される音声によって効率良くマスクされ、耳障りとならない。このため、高速回転にするかどうかの判定の基準となるレベルを低くすることができる。従って、ファンを高速で回転させる期間の比率は高いものとなる。このため、ファン１３の回転音が耳障りとなることを防止するときにも、筐体内部の温度を充分に低いものにすることができる、という効果が得られる。
【００５１】
なお、本発明は上記実施形態に限定されず、スペクトラム分析部１７については、７つの周波数帯域に分割して、スペクトラムを分析する構成とした場合について説明したが、その他の任意の数の周波数帯域において、スペクトラムを分析する構成とすることができる。また、スペクトラムのレベルを検出する段階数についても、３２段階に限定されず、その他の段階数とすることができる。
【００５２】
また、映像音声記録媒体については、ＤＶＤ２０に適用した場合について説明したが、その他の媒体として、例えば、ハードディスクドライブとする場合にも、同様に適用することができる（このときでは、ディスクドライブ部５をハードディスクドライブに変更した構成となる）。
【００５３】
また、ファン１３の回転速度については、高速と低速との２種の速度に切り換える構成とした場合について説明したが、３種の速度等の、任意数の速度に切り換える構成とすることができる。
【図面の簡単な説明】
【００５４】
【図１】本発明に係る映像音声再生装置の一実施形態（ＤＶＤレコーダ）の電気的構成を示すブロック線図である。
【図２】スペクトラム分析部によりスペクトラムが分析される周波数帯域の説明図である。
【図３】スペクトラム分析部によって分析されるスペクトラムのレベル分けを示す説明図である。
【図４】ファンの回転速度を制御する実施形態の主要動作を示すフローチャートである。
【図５】従来技術における音声信号のレベル検出に使用される回路を示す説明図である。
【符号の説明】
【００５５】
３  信号処理ＩＣ
５  ディスクドライブ部
６  映像音声再生手段
１１  温度センサ
１３  ファン
１５  デコーダ部
１７  スペクトラム分析部
１８  ファン制御手段
２０  ＤＶＤ（映像音声記録媒体）
【図１】
2006179071.tif 000003
【図２】
2006179071.tif 000004
【図３】
2006179071.tif 000005
【図４】
2006179071.tif 000006
【図５】
2006179071.tif 000007